(57)【要約】  本発明の情報処理装置は、発光部を備えた表示部と、前記表示部の表示面に対する物体の接触とその接触位置を検知する検知部と、特定状態の下で、前記検知部が複数の接触を検知した場合、前記複数の接触の各々の接触位置に基づいて指定される特定領域を判定する判定部と、前記特定状態の下で、前記検知部が前記複数の接触を検知した場合、前記判定部が判定した前記特定領域の内外において点灯制御を異ならせる表示制御部と、を有する。
2013099452.tif 000002
【特許請求の範囲】
【請求項１】
発光部を備えた表示部と、
前記表示部の表示面に対する物体の接触とその接触位置を検知する検知部と、
特定状態の下で、前記検知部が複数の接触を検知した場合、前記複数の接触の各々の接触位置に基づいて指定される特定領域を判定する判定部と、
前記特定状態の下で、前記検知部が前記複数の接触を検知した場合、前記判定部が判定した前記特定領域の内外において点灯制御を異ならせる表示制御部と、を有する情報処理装置。
【請求項２】
前記検知部は、物体の接触位置が連続的に変化する接触を、前記複数の接触として検知する、請求項１に記載の情報処理装置。
【請求項３】
前記判定部は、前記検知部が検知した前記複数の接触の各々の接触位置に重複がある場合、重複した接触位置に基づいて形成される領域を前記特定領域と判定する、請求項２に記載の情報処理装置。
【請求項４】
前記判定部は、前記検知部が検知した前記複数の接触の各々の接触位置のうち、始点と終点との間の距離が所定の範囲内にある場合、始点と終点とに基づいて形成される領域を前記特定領域と判定する、請求項２に記載の情報処理装置。
【請求項５】
前記検知部は、複数の物体の接触を、前記複数の接触として検知する、請求項１に記載の情報処理装置。
【請求項６】
前記判定部は、前記検知部が検知した前記複数の接触の各々の接触位置に加え、さらに、前記表示部の表示面に表示された特定の表示物が占める領域に基づいて、前記特定領域を判定する、請求項１から５のいずれか１項に記載の情報処理装置。
【請求項７】
前記判定部は、前記検知部が検知した前記複数の接触の各々の接触位置に基づいて指定される領域と、前記特定の表示物が占める領域と、に重複領域がある場合、前記重複領域を前記特定領域と判定する、請求項６に記載の情報処理装置。
【請求項８】
前記判定部が判定した前記特定領域を示す第１の位置情報と、前記特定の表示物が占める領域を示す第２の位置情報と、を対応付けて保持する保持部をさらに有し、
前記保持部は、前記第２の位置情報で示される領域の変化を検出すると、前記保持した前記第１の位置情報を前記第２の位置情報に対応付けて変更し、
前記表示制御部は、前記保持部から変更後の特定領域位置情報を読み出し、変更後の特定領域位置情報に基づいて、前記特定領域の内外において点灯制御を異ならせる、請求項６または７に記載の情報処理装置。
【請求項９】
アプリケーションプログラムを実行する実行部をさらに有し、
前記特定の表示物とは、前記実行部が実行中のアプリケーションプログラムに基づいて前記表示部の表示面に表示された表示データである、請求項６から８のいずれか１項に記載の情報処理装置。
【請求項１０】
前記実行部は、複数のアプリケーションプログラムを実行し、
前記判定部は、前記実行部が実行中のアプリケーションプログラムのうち、特定のアプリケーションプログラムに基づいて前記表示部の表示面に表示された表示データを、前記特定の表示物とする、請求項９に記載の情報処理装置。
【請求項１１】
発光部を備えた表示部を有する情報処理装置による点灯制御方法であって、
前記表示部の表示面に対する物体の接触とその接触位置を検知し、
特定状態の下で、前記表示面に対する複数の接触を検知した場合、前記複数の接触の各々の接触位置に基づいて指定される特定領域を判定し、
前記特定状態の下で、前記前記複数の接触を検知した場合、前記判定した前記特定領域の内外において点灯制御を異ならせる、点灯制御方法。
【請求項１２】
発光部を備えた表示部を有する情報処理装置に、
前記表示部の表示面に対する物体の接触とその接触位置を検知する手順と、
特定状態の下で、前記表示面に対する複数の接触を検知した場合、前記複数の接触の各々の接触位置に基づいて指定される特定領域を判定する手順と、
前記特定状態の下で、前記前記複数の接触を検知した場合、前記判定した前記特定領域の内外において点灯制御を異ならせる手順と、を実行させるためのプログラム。
【発明の詳細な説明】
【技術分野】
【０００１】
本発明は、情報処理装置、点灯制御方法、プログラムに関する。
【背景技術】
【０００２】
近年、携帯電話機、スマートフォン、携帯情報端末、パーソナルコンピュータなどの情報処理端末として、アプリケーションプログラムをタッチパネルにより操作可能なものが増えている。【０００３】
また、この種の情報処理装置の中には、省電力化の観点で、表示部上の領域を部分的に点灯制御することが可能なものがある。【０００４】
例えば、特許文献１には、タッチパネル上の１点が接触されると、その接触位置に基づいて境界を判定し、境界よりも上の領域を消灯する技術が記載されている。【０００５】
また、特許文献２には、タッチパネル上の１点が接触されると、その接触位置にある表示データを点灯する技術が記載されている。
【先行技術文献】
【特許文献】
【０００６】
【特許文献１】特開２０１０−１３０１５９号公報
【特許文献２】特開平１１−１８４４４２号公報
【発明の概要】
【発明が解決しようとする課題】
【０００７】
しかし、特許文献１に記載の技術は、タッチパネル上の１点の接触位置に基づき判定した境界よりも上の領域を消灯するものであるため、鉛直方向に境界を設定できない。【０００８】
また、特許文献２に記載の技術は、タッチパネル上の１点の接触位置にある表示データを点灯するものであるため、データ単位でしか点灯／消灯する領域を指定できない。【０００９】
このように、特許文献１，２に記載の技術は、タッチパネル上の１点の接触位置に基づき点灯制御を行っているため、細かい点灯制御を行うことができないという問題点がある。【００１０】
そこで、本発明の目的は、上述した課題を解決し、より細かい点灯制御を行うことができる情報処理装置、点灯制御方法、プログラムを提供することにある。
【課題を解決するための手段】
【００１１】
本発明の情報処理装置は、
発光部を備えた表示部と、
前記表示部の表示面に対する物体の接触とその接触位置を検知する検知部と、
特定状態の下で、前記検知部が複数の接触を検知した場合、前記複数の接触の各々の接触位置に基づいて指定される特定領域を判定する判定部と、
前記特定状態の下で、前記検知部が前記複数の接触を検知した場合、前記判定部が判定した前記特定領域の内外において点灯制御を異ならせる表示制御部と、を有する。【００１２】
本発明の点灯制御方法は、
発光部を備えた表示部を有する情報処理装置による点灯制御方法であって、
前記表示部の表示面に対する物体の接触とその接触位置を検知し、
特定状態の下で、前記表示面に対する複数の接触を検知した場合、前記複数の接触の各々の接触位置に基づいて指定される特定領域を判定し、
前記特定状態の下で、前記前記複数の接触を検知した場合、前記判定した前記特定領域の内外において点灯制御を異ならせる。【００１３】
本発明のプログラムは、
発光部を備えた表示部を有する情報処理装置に、
前記表示部の表示面に対する物体の接触とその接触位置を検知する手順と、
特定状態の下で、前記表示面に対する複数の接触を検知した場合、前記複数の接触の各々の接触位置に基づいて指定される特定領域を判定する手順と、
前記特定状態の下で、前記前記複数の接触を検知した場合、前記判定した前記特定領域の内外において点灯制御を異ならせる手順と、を実行させる。
【発明の効果】
【００１４】
本発明によれば、複数の接触位置に基づき点灯制御を行っているため、より細かい点灯制御を行うことができるという効果が得られる。
【図面の簡単な説明】
【００１５】
【図１】本発明の第１および第２の実施形態の情報処理装置の構成を示すブロック図である。
【図２】本発明の第１の実施形態の情報処理装置の動作の流れを説明するフローチャートである。
【図３】本発明の第１の実施形態の情報処理装置において、特定領域を判定する動作例を説明する図である。
【図４】本発明の第１の実施形態の情報処理装置において、特定領域を判定する動作例を説明する図である。
【図５】本発明の第１の実施形態の情報処理装置において、特定領域を判定する動作例を説明する図である。
【図６】本発明の第１の実施形態の情報処理装置において、特定領域を判定する動作例を説明する図である。
【図７】本発明の第１の実施形態の情報処理装置において、特定領域を判定する動作例を説明する図である。
【図８】本発明の第２の実施形態の情報処理装置の動作の流れを説明するフローチャートである。
【図９】本発明の第２の実施形態の情報処理装置において、特定領域を判定する動作例を説明する図である。
【図１０】本発明の第２の実施形態の情報処理装置において、ウィンドウが移動した場合の動作例を説明する図である。
【図１１】本発明の第２の実施形態の情報処理装置において、ウィンドウサイズが変更された場合の動作例を説明する図である。
【発明を実施するための形態】
【００１６】
以下に、本発明を実施するための形態について図面を参照して説明する。
（１）第１の実施形態
図１に示すように、本実施形態の情報処理装置１０は、ディスプレイ１１と、タッチパネル１２と、制御部１３と、を有している。また、制御部１３は、実行部１４と、特定状態判断部１５と、判定部１６と、表示制御部１７と、保持部１８と、を有している。なお、図１は、本発明の特徴的な構成要素のみを示し、その他の構成要素は省略している。
【００１７】
ディスプレイ１１は、発光部（不図示）を備える表示部（自発光型ディスプレイ）であり、例えば、有機ＥＬディスプレイ、ＬＥＤディスプレイ等である。
【００１８】
タッチパネル１２は、ディスプレイ１１の表示面に対するユーザの指やペン等の物体の接触とその接触位置を検知する検知部である。なお、タッチパネル１２は、物体の接触とその接触位置を検知すると、その接触位置を示す接触位置情報を出力する。
【００１９】
実行部１４は、アプリケーションプログラムを実行する。なお、実行部１４は、複数のアプリケーションプログラムを実行することが可能である。
【００２０】
特定状態判断部１５は、情報処理装置１０が特定状態にあるか否かを判断する。
【００２１】
ここで、特定状態とは、例えば、情報処理装置１０の動作モードが消灯モードに移行している状態や、バッテリー（不図示）が低下していることを示すアラームがディスプレイ１１の表示面にポップアップ表示されている状態等である。なお、消灯モードへは、ディスプレイ１１の表示面に配置したボタンのタッチ等で移行可能であるとする。
【００２２】
判定部１６は、特定状態の下で、タッチパネル１２が複数の接触を検知した場合、複数の接触の各々の接触位置に基づいて指定される特定領域を判定する。
【００２３】
ここで、複数の接触とは、物体の接触位置が連続的に変化する接触（物体を表示面に接触させたまま移動する操作、所謂、なぞり操作による接触）や、複数の物体による接触（複数の物体が同時に接触する操作、所謂、マルチタッチ操作による接触）のことである。
【００２４】
また、特定領域とは、例えば、なぞり操作の場合は、なぞり操作により接触された接触位置全体を特定領域とすることが考えられる。また、マルチタッチ操作の場合は、マルチタッチ操作により接触された接触位置を対角線とした矩形領域を特定領域とすることが考えられる。その他の特定領域の例は後述する。
【００２５】
表示制御部１７は、ディスプレイ１１の表示面に各種の表示データを表示する。例えば、表示制御部１７は、実行部１４がアプリケーションプログラムを実行した場合、そのアプリケーションプログラムに基づく表示データ（ウィンドウ等）を表示する。
【００２６】
また、表示制御部１７は、特定状態の下で、タッチパネル１２が複数の接触を検知した場合、判定部１６が判定した特定領域の内外において点灯制御を異ならせる。例えば、表示制御部１７は、特定領域の内部を点灯し外部を消灯したり、特定領域の外部を点灯し内部を消灯したりすることが考えられる。なお、表示制御部１７は、ディスプレイ１１上の領域の点灯／消灯を行う場合、その領域に対応する発光部を点灯／消灯することになる。
【００２７】
保持部１８は、特定状態の下で、タッチパネル１２が複数の接触を検知した場合、これら接触位置を示す接触位置情報を保持すると共に、判定部１６が判定した特定領域を示す特定領域位置情報を保持する。
【００２８】
以下、本実施形態の情報処理装置１０の動作の流れについて、図２を参照して説明する。
【００２９】
図２に示すように、まず、特定状態判断部１５は、情報処理装置１０が特定状態にあるか否かを判断する（ステップＡ１）。
【００３０】
ステップＡ１において、情報処理装置１０が特定状態にある場合、特定状態判断部１５は、その旨を、判定部１６、表示制御部１７、および保持部１８に通知する。
【００３１】
以降、判定部１６、表示制御部１７、および保持部１８は、タッチパネル１２から出力される接触位置情報を基に、タッチパネル１２が複数の接触を検知したか否かを判断する（ステップＡ２）。
【００３２】
ステップＡ２において、タッチパネル１２が複数の接触を検知した場合、保持部１８は、これらの接触位置を示す接触位置情報を保持する。また、判定部１６は、保持部１８から接触位置情報を読み出し、タッチパネル１２が検知した複数の接触の各々の接触位置に基づいて指定される領域を特定領域と判定する（ステップＡ３）。ここで判定した特定領域を示す特定領域位置情報は保持部１８に保持される。
【００３３】
その後、表示制御部１７は、保持部１８から特定領域位置情報を読み出し、判定部１６が判定した特定領域の内外において点灯制御を異ならせる（ステップＡ４）。
【００３４】
ここで、判定部１６の判定動作の具体例について、図３〜図７を参照して説明する。なお、図３〜図７は、実行中のアプリケーションプログラムに基づく表示データ（ウィンドウ）を表示している状態のディスプレイ１１の外観図である。また、このとき、情報処理装置１０は特定状態にあるものとする。
【００３５】
図３の例では、ユーザがなぞり操作を行っており、なぞり操作により接触された接触位置は線状ではなく、また、始点と終点との距離も離れている。
【００３６】
この場合、判定部１６は、なぞり操作により接触された接触位置全体を特定領域Ｘと判定する。
【００３７】
図４の例では、ユーザがなぞり操作を行っており、なぞり操作により接触された接触位置は線状である。
【００３８】
この場合、判定部１６は、なぞり操作により接触された接触位置のうち始点と終点とを対角線とした矩形領域を特定領域Ｘと判定する。なお、図３の例では、始点と終点とを直径とした円形領域を特定領域Ｘと判定しても良く、特定領域Ｘの形状に限定はない。
【００３９】
図５の例では、ユーザがなぞり操作を行っており、なぞり操作により接触された接触位置は線状ではなく、重複した接触位置が存在する。
【００４０】
この場合、判定部１６は、なぞり操作により接触された接触位置のうち重複した接触位置に基づき形成された領域を特定領域Ｘと判定する。具体的には、判定部１６は、重複した接触位置にて囲まれた領域を特定領域Ｘと判定する。
【００４１】
図６の例では、ユーザがなぞり操作を行っており、なぞり操作により接触された接触位置は線状ではなく、始点と終点とは所定範囲内の距離にあり、互いに近接している。
【００４２】
この場合、判定部１６は、なぞり操作により接触された接触位置のうち始点と終点とに基づき形成された領域を特定領域Ｘと判定する。具体的には、判定部１６は、始点と終点とを連結することで囲まれた領域を特定領域Ｘと判定する。
【００４３】
図７の例では、ユーザがマルチタッチ操作（２点）を行っている。
【００４４】
この場合、判定部１６は、マルチタッチ操作により接触された２点の接触位置を対角線とした矩形領域を特定領域Ｘと判定する。なお、図７の例では、２点の接触位置を直径とした円形領域を特定領域Ｘと判定しても良く、特定領域Ｘの形状に限定はない。
【００４５】
なお、図３〜図７の例では、特定領域Ｘの内部を消灯し外部を点灯していたが、特定領域の内部を点灯し外部を消灯しても良い。
【００４６】
上述したように本実施形態においては、情報処理装置１０は、特定状態の下で、ディスプレイ１１の表示面への複数の接触を検知した場合、複数の接触の各々の接触位置に基づいて指定される特定領域の内外において点灯制御を異ならせる。
【００４７】
このように、複数の接触位置に基づき点灯制御を行っているため、特許文献１，２に記載の技術のように１点の接触位置に基づき点灯制御を行う場合と比較して、より細かい点灯制御を行うことができるという効果が得られる。
（２）第２の実施形態
本実施形態は、第１の実施形態と比較して、構成自体は同様であるが、動作が異なる。
【００４８】
すなわち、第１の実施形態においては、実行中のアプリケーションプログラムに基づくウィンドウ（特定の表示物）を、ディスプレイ１１の表示面全体に表示することを想定していた。
【００４９】
これに対して、本実施形態においては、ディスプレイ１１の表示面の一部の領域にウィンドウを表示する場合を想定し、複数の接触の各々の接触位置に加えて、さらに、ウィンドウが占める領域に基づいて特定領域を判定する。
【００５０】
以下、本実施形態の情報処理装置１０の動作の流れについて、図８を参照して説明する。なお、保持部１８は、ディスプレイ１１の表示面にウィンドウが表示されている場合、そのウィンドウが占める領域を示すウィンドウ位置情報（第２の位置情報）を保持しているものとする。
【００５１】
図８に示すように、まず、特定状態判断部１５は、情報処理装置１０が特定状態にあるか否かを判断する（ステップＢ１）。
【００５２】
ステップＢ１において、情報処理装置１０が特定状態にある場合、特定状態判断部１５は、その旨を、判定部１６、表示制御部１７、および保持部１８に通知する。
【００５３】
以降、判定部１６、表示制御部１７、および保持部１８は、タッチパネル１２から出力される接触位置情報を基に、タッチパネル１２が複数の接触を検知したか否かを判断する（ステップＢ２）。
【００５４】
ステップＢ２において、タッチパネル１２が複数の接触を検知した場合、保持部１８は、これらの接触位置を示す接触位置情報を保持する。また、判定部１６は、保持部１８にウィンドウ位置情報が保持されているか否かに基づき、ディスプレイ１１の表示面にウィンドウが表示されているか否かを判断する（ステップＢ３）。
【００５５】
ステップＢ３において、ディスプレイ１１にウィンドウが表示されていない場合、判定部１６は、保持部１８から接触位置情報を読み出し、タッチパネル１２が検知した複数の接触の各々の接触位置に基づいて指定される領域を特定領域と判定する（ステップＢ４）。ここで判定した特定領域を示す特定領域位置情報（第１の位置情報）は保持部１８に保持される。
【００５６】
一方、ステップＢ３において、ディスプレイ１１にウィンドウが表示されている場合、判定部１６は、保持部１８からウィンドウ位置情報を読み出し、特定のウィンドウとそのウィンドウが占める領域を特定する（ステップＢ５）。なお、特定のウィンドウとは、直近に実行したアプリケーションプログラムに基づくウィンドウ（アクティブ状態にあるウィンドウ）や、動画や音楽を視聴するアプリケーションプログラムや、無操作でも進行するゲームのアプリケーションプログラム等、ユーザが継続して使用するアプリケーションプログラムに基づくウィンドウ等である。
【００５７】
次に、判定部１６は、保持部１８から接触位置情報を読み出し、タッチパネル１２が検知した複数の接触の各々の接触位置に基づいて指定される領域を特定する（ステップＢ６）。
【００５８】
次に、判定部１６は、ステップＢ５で特定した領域と、ステップＢ６で特定した領域と、に重複領域があるか否かを判断する（ステップＢ７）。
【００５９】
ステップＢ７において、重複領域がある場合、判定部１６は、重複領域を特定領域と判定する（ステップＢ８）。ここで判定した特定領域を示す特定領域位置情報は、特定のウィンドウのウィンドウ位置情報と対応付けられて保持部１８に保持される。
【００６０】
また、ステップＢ７において、重複領域がない場合、ステップＢ４の処理に進む。この場合、タッチパネル１２が検知した複数の接触の各々の接触位置に基づいて指定される領域が特定領域と判定される。
【００６１】
その後、表示制御部１７は、保持部１８から特定領域位置情報を読み出し、判定部１６が判定した特定領域の内外において点灯制御を異ならせる（ステップＢ９）。
【００６２】
ここで、判定部１６の判定動作の具体例について、図９を参照して説明する。なお、図９は、実行中のアプリケーションプログラムに基づく表示データ（ウィンドウ）を表示している状態のディスプレイ１１の外観図である。また、このとき、情報処理装置１０は特定状態にあるものとする。
【００６３】
図９の例では、ウィンドウＷが表示されている。また、タッチパネル１２が検知した複数の接触の各々の接触位置に基づいて指定される領域は領域Ｙとなっている。また、ウィンドウＷが占める領域と領域Ｙとには重複領域が存在する。
【００６４】
この場合、判定部１６は、ウィンドウＷが占める領域と領域Ｙとの重複領域を、特定領域Ｘと判定する。
【００６５】
なお、ディスプレイ１１の表示面の一部の領域にウィンドウを表示する場合、ユーザは、ウィンドウを移動したり、ウィンドウサイズを変更したりすることがある。
【００６６】
そこで、本実施形態においては、保持部１８は、特定領域位置情報をウィンドウ位置情報に対応付けて保持している場合、ウィンドウ位置情報で示されるウィンドウが占める領域の変化を監視し、ウィンドウが占める領域の変化を検出すると、特定領域位置情報をウィンドウ位置情報に対応付けて変更する。
【００６７】
これにより、ウィンドウが占める領域の変化に追従して、特定領域も変化させ、点灯制御を異ならせる制御部分を変化させることができる。
【００６８】
具体的には、図１０の例では、ウィンドウＸの位置が移動している。この場合、保持部１８は、特定領域位置情報を、特定領域ＸをウィンドウＸの移動量分だけ移動させた場合の位置を示す位置情報に変更する。
【００６９】
また、図１１の例では、ウィンドウＸのウィンドウサイズが変更されている。この場合、保持部１８は、特定領域位置情報を、特定領域ＸをウィンドウＸのウィンドウサイズに比例してサイズを変更した場合の位置を示す位置情報に変更する。
【００７０】
この場合、表示制御部１７は、保持部１８から変更後の特定領域位置情報を読み出し、変更後の特定領域位置情報に基づいて、特定領域の内外において点灯制御を異ならせる。
【００７１】
上述したように本実施形態においては、情報処理装置１０は、複数の接触の各々の接触位置に基づいて指定される領域と、ウィンドウが占める領域と、に重複領域がある場合、その重複領域を特定領域とする。
【００７２】
そのため、ユーザが使用しているウィンドウ内でのみ、特定領域の内外において点灯制御を異ならせることができるという効果が得られる。
【００７３】
また、本実施形態においては、情報処理装置１０は、特定領域位置情報をウィンドウ位置情報に対応付けて保持部１８に保持している場合、ウィンドウ位置情報で示されるウィンドウが占める領域の変化を検出すると、特定領域位置情報をウィンドウ位置情報に対応付けて変更する。
【００７４】
そのため、ウィンドウが占める領域の変化に追従して、点灯制御を異ならせる制御部分を変化させることができるという効果が得られる。
【００７５】
その他の効果は第１の実施形態と同様である。
【００７６】
以上、実施形態を参照して本発明を説明したが、本発明は上記実施形態に限定されるものではない。本発明の構成や詳細には、本発明の範囲内で当業者が理解し得る様々な変更をすることができる。
【００７７】
例えば、第１および第２の実施形態においては、特定領域の内外の一方を点灯し、他方を消灯する点灯制御を行うものとして説明したが、特定領域の内外で輝度を異ならせる点灯制御を行っても良い。なお、ディスプレイ１１上の領域の輝度を制御する場合、その領域に対応する発光部の輝度を制御することになる。
【００７８】
また、第１および第２の実施形態においては、マルチタッチ操作が２点である場合を例に挙げたが、３点以上でも良い。例えば、マルチタッチ操作が３点である場合、３点の接触位置にて囲まれた領域を特定領域とすることが考えられる。
【００７９】
また、第２の実施形態においては、複数の接触の各々の接触位置に基づいて指定される領域（第１の領域）と、ウィンドウが占める領域（第２の領域）と、の重複領域を特定領域とし、特定領域の内外で点灯制御を異ならせている。これに加えて、第１および第２の領域のいずれかで占められた領域のうち重複領域を除く領域（第３の領域）と、第１および第２の領域に占められない領域（第４の領域）と、で点灯制御を異ならせても良い。
【００８０】
なお、本発明の情報処理装置１０にて行われる方法は、コンピュータに実行させるためのプログラムに適用してもよい。また、そのプログラムを記憶媒体に格納することも可能であり、ネットワークを介して外部に提供することも可能である。
【００８１】
本出願は、２０１１年１２月２８日に出願された日本出願特願２０１１−２８７６８５を基礎とする優先権を主張し、その開示の全てをここに取り込む。
【図１】
2013099452.tif 000003
【図２】
2013099452.tif 000004
【図３】
2013099452.tif 000005
【図４】
2013099452.tif 000006
【図５】
2013099452.tif 000007
【図６】
2013099452.tif 000008
【図７】
2013099452.tif 000009
【図８】
2013099452.tif 000010
【図９】
2013099452.tif 000011
【図１０】
2013099452.tif 000012
【図１１】
2013099452.tif 000013
【国際調査報告】
2013099452.tif 000014
2013099452.tif 000015
2013099452.tif 000016
2013099452.tif 000017